(57)【要約】【課題】左右の可動部が開放状態から閉じられたときに可動部の上部対向面に隙間が生じないようにして所期の演出を実施可能な遊技機における演出装置を提供することにある。【解決手段】演出装置２０の可動部２３，３０を上レール２１と下レール２２により水平方向に移動可能とし、ラック・ピニオン機構２６のラック３３を少なくとも一方の可動部３０の下部に連結するように設け、ステッピングモータ３５を駆動させることによって可動部２３，３０が連動して開閉されるように設けられ、可動部２３，３０の対向面の下部を下方に延長して互いに当接させる部位をラック３３との連結箇所よりも下方に設け、可動部２３，３０が閉じられるときに、前記部位同士を当接させた状態で可動部２３，３０の上部が互いに接近して閉じるまでステッピングモータ３５を駆動させる。【選択図】図４
2011183077.tif 000002
【特許請求の範囲】
【請求項１】
遊技球が始動口に入賞することを契機に抽選が行なわれて複数列の装飾図柄を変動表示する図柄表示装置の表示部の前面に可動部を左右に配置し、それらの可動部を駆動機構によって開閉作動させる遊技機における演出装置において、
前記可動部は上レールと下レールにより水平方向に移動可能とされ、前記駆動機構の駆動伝達部を少なくとも一方の可動部の下部に連結するように設け、アクチュエータにより該駆動伝達部を作動させることによって前記可動部が連動して開閉されるように設けられ、
前記可動部の対向面又は当該対向面寄りの下部を下方に延長して互いに当接させる部位を前記駆動伝達部との連結箇所よりも下方に設け、
前記可動部が閉じられるときに、前記部位同士を当接させた状態で可動部の上部が互いに接近して閉じるまで前記アクチュエータを駆動させるように構成したことを特徴とする遊技機における演出装置。
【請求項２】
前記部位を突部としたことを特徴とする請求項１に記載の遊技機における演出装置。
【請求項３】
前記突部がゴム製部材により設けられていることを特徴とする請求項２に記載の遊技機における演出装置。
【発明の詳細な説明】
【技術分野】
【０００１】
本発明は、図柄表示装置の液晶表示部の前方で左右に配置された可動部材を開閉させる遊技機における演出装置に関する。
【背景技術】
【０００２】
従来、遊技機として一般的なパチンコ機は、遊技球が始動口に入賞することを契機に抽選が行なわれて図柄表示装置の液晶表示部に３列の装飾図柄（数字、キャラクター等）が変動表示され、停止表示した２列の装飾図柄が同じ所定図柄の組み合わせのときにリーチ状態となり、その状態から停止表示した３列の装飾図柄が同じ所定図柄である場合に特定遊技状態（大当たり）が発生して大入賞装置（いわゆる「アタッカー」）の大入賞口を開放することにより、遊技者に多量の遊技球を獲得する機会を付与するようにされている。かかるパチンコ機では、遊技球を遊技領域に打ち込んで入賞口に入賞させる球落としゲームと、遊技球が始動口に入賞することにより開始される図柄組み合わせゲームとが一連の遊技として行なわれる。
【０００３】
かかるパチンコ機には、図７に示す左右一対の縦長形の障子５２，５２を複ラック・ピニオン機構５５によって開閉作動させる演出装置５１を前記液晶表示部の前面側に配置した機種がある。この装置５１は、上レール５３と下レール５４により障子５２，５２を水平方向に移動可能とし、各障子５２の下部にラック・ピニオン機構５５の構成要素であるラック５６ａ，５６ｂを夫々取り付けると共にそれらラック５６ａ，５６ｂに中間ギア５７を噛合させ、一方の障子５２に固定した駆動側のラック５６ｂにステッピングモータ６０により回転駆動されるピニオン６１を噛合させ、ステッピングモータ６０によりラック５６ｂを移動制御することによって障子５２，５２を開閉させる構成とされている。
【０００４】
前記演出装置５１において、障子が閉じられたときに、２つの障子５２，５２の対向面５２ａ，５２ａの下部が接触しても上部に３ｍｍ程度の隙間を生ずることがある。これにより、前記液晶表示部の光が隙間から前方へ漏れてしまうので、見栄えが良くない。
【０００５】
上記隙間が生ずるのを回避する対策として、各障子の対向面の上部にマグネットを夫々埋設し、障子が閉じられる直前にマグネットの吸引力を利用して強制的に上部同士を吸着させて閉じさせる構造の演出装置が知られている。
しかし、障子同士が当接するたびに衝突音が生じるため、遊技者に不快感を与えることにもなる。また、閉じられた障子を開く場合には、マグネットで吸着された上部が下部よりも僅かに遅れて急激に離間するため開放動作がギクシャクしてスムーズに開かないという不具合があった。
【先行技術文献】
【特許文献】
【０００６】
【特許文献１】なし
【発明の概要】
【発明が解決しようとする課題】
【０００７】
本発明の目的は、左右に配置した可動部が開放状態から閉じられたときに可動部の上部対向面に隙間が生じないようにして所期の演出を実施可能な遊技機における演出装置を提供することにある。
【課題を解決するための手段】
【０００８】
前記目的を達成するために請求項１に記載した発明は、遊技球が始動口に入賞することを契機に抽選が行なわれて複数列の装飾図柄を変動表示する図柄表示装置の表示部の前面に可動部を左右に配置し、それらの可動部を駆動機構によって開閉作動させる遊技機における演出装置において、
前記可動部は上レールと下レールにより水平方向に移動可能とされ、前記駆動機構の駆動伝達部を少なくとも一方の可動部の下部に連結するように設け、アクチュエータにより該駆動伝達部を作動させることによって前記可動部が連動して開閉されるように設けられ、
前記可動部の対向面又は当該対向面寄りの下部を下方に延長して互いに当接させる部位を前記駆動伝達部との連結箇所よりも下方に設け、
前記可動部が閉じられるときに、前記部位同士を当接させた状態で可動部の上部が互いに接近して閉じるまで前記アクチュエータを駆動させるように構成したことを特徴とする。
【０００９】
同様の目的を達成するために請求項２に記載した発明は、請求項１に記載の遊技機における演出装置において、前記部位を突部としたことを特徴とするものである。
【００１０】
同様の目的を達成するために請求項３に記載した発明は、請求項２に記載の遊技機における演出装置において、前記突部がゴム製部材により設けられていることを特徴とするものである。
【００１１】
請求項２及び請求項３に記載した遊技機における演出装置は、障子同士を当接させる突部を支点として当該障子の上部が互いに接近して閉じるように設けられており、常に当接するポイントが一定となるため障子の閉鎖動作を円滑に安定して行なわせることができる。
【００１２】
また、請求項３に記載の演出装置では、突部をゴム製部材とすることにより衝突音が小さくなるため、遊技者に不快感を与えない。
【発明の効果】
【００１３】
（請求項１の発明）
この遊技機における演出装置は、左右に配置された可動部の対向面又は当該対向面寄りの下部を下方に延長して互いに当接させる部位を駆動機構の駆動伝達部との連結箇所よりも下方に設けていて、可動部が閉じられるときに、それら部位同士を当接させた状態で可動部の上部が互いに接近して閉じるまでアクチュエータを駆動させる構成により、可動部の上部対向面に隙間が生じなくなるので所期の演出を確実に発揮することができる。
【図面の簡単な説明】
【００１４】
【図１】本発明に係るパチンコ機の遊技盤正面図
【図２】障子が開放された状態を示す演出装置の正面図
【図３】障子が閉じられた状態を示す演出装置の正面図
【図４】障子が完全に閉じられる直前の状態を誇張して示す説明図
【図５】図４の一部拡大図
【図６】障子下部に設ける突部の説明図
【図７】従来の遊技機における演出装置の説明図
【発明を実施するための形態】
【００１５】
以下に、本発明の最良の形態例を図面に基づいて説明する。
【００１６】
本発明に係る遊技機における演出装置は、遊技球が始動口に入賞することを契機に抽選が行なわれて複数列の、この実施形態では３列の装飾図柄（図示せず）を変動表示する図柄表示装置の表示部５の前面に可動部を左右に配置し、それらの可動部を駆動機構の一例であるラック・ピニオン機構によって開閉させる概要構造とされている。この実施形態においては、遊技機を「パチンコ機」とし、可動部として「障子」を例にして以下に詳しく述べる。
【００１７】
はじめに、この演出装置が適用されるパチンコ機の概要について説明する。
本発明に係るパチンコ機の遊技盤を図１に示す。遊技盤１の誘導レール２，３によって囲まれる遊技領域４には、中央に配置した図柄表示装置の表示部（液晶表示部）５、誘導釘６、風車７、通過ゲート８、普通入賞口９、始動口１０、大入賞口１１及びアウト球口１２等が設けられている。そして、本発明に係る演出装置２０は、図柄表示装置の表示部５の前面側に設けられている。
【００１８】
また、遊技領域４の外側には、表示部５と連係する普通図柄表示器１５と特別図柄表示器１６が設けられている。
【００１９】
しかして、このパチンコ機においては、遊技領域４に打ち込まれた遊技球が通過ゲート８を通過することにより「当たり」か「ハズレ」かの抽選を行なって普通図柄表示器１５にその結果を表示し、「当たり」であれば始動口１０の一対の開閉羽根を一定時間（例えば、２秒間）に限り２回開放して遊技球が入賞し易い状態とし、その開閉羽根の開放状態にある始動口１０に遊技球が入賞することにより特別図柄表示器１６及び表示部５を作動させ、特別図柄表示器１６に特定図柄が表示されて停止すれば「大当たり」と言われる特別遊技状態が発生し、これと連係して表示部５にも所定の装飾図柄が横並びに三つ揃って表示され（例えば、「７，７，７」）、ついで、大入賞口１１が遊技球を受け入れる開放状態とされ、所定条件に基づきその開放状態が所定回数（例えば、１５回）を繰り返されることにより多量の景品球を放出するような構造とされている。
【００２０】
（演出装置）
図２において、演出装置２０の上レール２１と下レール２２は、図柄表示装置の表示部５の前面の上方と下方の適宜位置に水平方向に配置されている。左側の障子２３は、上部と下部に夫々二個ずつ備えたローラ２５ａ，２５ｂを上レール２１と下レール２２に嵌めて左右方向に移動可能に設けられている。障子２３の対向面２４ａを形成する縦杆部２４は、下方に所定長さだけ延長されて後記右側の障子３０を当接させる部位２４ｂを設けている。障子２３の底部２３ｂの適宜位置に形成された支持部２３ｃには、ラック・ピニオン機構２６の構成要素である従動側のラック２７の一端側２７ａを連結している。
【００２１】
同様に、右側の障子３０についても、上部と下部に夫々二個ずつ備えたローラ３２ａ，３２ｂを上レール２１と下レール２２に嵌めて左右方向に移動可能に設けられている。障子３０の対向面３１ａを形成する縦杆部３１は、下方に所定長さだけ延長されて左側の障子２３を当接させる部位３１ｂを設けている。障子３０の底部３０ｂの適宜位置に形成された支持部３０ｃには、駆動側のラック３３の一端側３３ａを連結している。
【００２２】
なお、障子２３，３０に対向状に設ける前記部位２４ｂ、３１ｂについては、駆動側のラック３３よりも下方位置とする。また、この実施形態では、縦杆部２４，３１の延長上に前記部位２４ｂ、３１ｂを設けているが、本発明はこれに限定されることなく障子の対向面寄りの下部に設けることもできる。
【００２３】
前記支持部３０ｃとラック３３との連結部については、本発明の構成要件である駆動伝達部の連結箇所を意味する。
【００２４】
なお、ラック３３は、本発明の構成要件である駆動伝達部を意味する。
【００２５】
２８は従動側のラック２７と駆動側のラック３３に噛合するように介装された中間ギアである。駆動側のラック３３には、アクチュエータたるステッピングモータ３５の減速ギア群の出力側ピニオン３６を噛合させる。３８は障子３０が開放していることを検知するためにラック３３の一端側３３ａに配置されたリミットスイッチである。３９は障子３０が閉鎖していることを検知するためにラック３３の他端側３３ｂに配置されたリミットスイッチである。
【００２６】
しかして、ステッピングモータ３５によってピニオン３６を回転駆動して駆動側のラック３３を移動制御することによって障子２３，３０を連動して開閉する演出装置２０が構成される。
【００２７】
特に、この演出装置２０においては、障子２３，３０が閉じられるときに、図４、図５に示すように、障子２３，３０の部位２４ｂ、３１ｂ同士が当接した状態にて当該部位を支点として作用する回転モーメントによって障子２３，３０の上部が回動するように接近して隙間のないように閉じるまでステッピングモータ３５を駆動制御するように設けている。
【００２８】
なお、障子２３，３０に夫々設けられる部位２４ｂ、３１ｂについては、本実施形態では縦杆部２４，３１の下端同士を線接触で当接させているが、これに代えて図６に示すほぼ半球状の突部２４ｂ′、３１ｂ′に形成して点接触とする構成を採用することも可能である。これにより、障子２４，３１の上部は突部２４ｂ′、３１ｂ′を支点として作用する回転モーメントによって回動するように接近して閉じられる。突部２４ｂ′、３１ｂ′の場合には、常に当接するポイントが一定となるため障子２４，３１の閉鎖動作を安定し円滑に行なうことができる。
【００２９】
また、突部２４ｂ′、３１ｂ′をゴム製部材とすることもできる。ゴム製部材の場合には、硬い性状の素材に比べて衝突音が小さくなるため遊技者に不快感を与えない。
【００３０】
本発明に係るパチンコ機における演出装置の作用については、前述した構成の中で述べているので、ここで改めて説明しない。
【００３１】
以上の通り、このパチンコ機における演出装置によれば、左右の障子が閉じられるときに、障子の当接部位同士を当接させた状態にて障子の上部が互いに接近して隙間がなくなるまでステッピングモータを駆動するように構成しているので、所期の演出を確実に発揮することができる。
【符号の説明】
【００３２】
５・・・（パチンコ機における図柄表示装置の）表示部
２０・・・本発明に係る遊技機における演出装置
２１・・・上レール
２２・・・下レール
２３，３０・・・障子（可動部）
２４ｂ、３１ｂ・・・（当接させる）部位
２４ｂ′、３１ｂ′・・・突部
２６・・・ラック・ピニオン機構（駆動機構）
３３・・・ラック（駆動伝達部）
３５・・・ステッピングモータ（アクチュエータ）
【図１】
2011183077.tif 000003
【図２】
2011183077.tif 000004
【図３】
2011183077.tif 000005
【図４】
2011183077.tif 000006
【図５】
2011183077.tif 000007
【図６】
2011183077.tif 000008
【図７】
2011183077.tif 000009